(57)【特許請求の範囲】
【請求項１】
駆動源からの動力を受けて振動し、その振動により遊技を演出する振動演出部材と、
前記駆動源からの動力を前記振動演出部材へ伝達する動力伝達部と、を備えた遊技機において、
前記動力伝達部には、前記振動演出部材の振動方向と交差する方向に延びて前記振動方向に弾性曲げ変形可能な弾性部材と、前記振動演出部材に対して相対移動可能であって、その相対移動に伴って前記弾性部材からの動力を前記振動演出部材に伝達する移動伝達部材と、が設けられたことを特徴とする遊技機。
【請求項２】
前記駆動源は、電気的アクチュエータであって、
前記弾性部材は、前記電気的アクチュエータの回転出力軸と同軸に配置されて前記回転出力軸と一体に回転するコイルバネで構成され、
前記移動伝達部材は、前記コイルバネのうち前記電気的アクチュエータから離れた側の端部に固定されると共に、前記振動演出部材に嵌合され且つ前記振動演出部材に対して相対回転可能な回転部材で構成されたことを特徴とする請求項１に記載の遊技機。
【請求項３】
前記回転部材には、前記回転部材の回転軸から偏心した偏心錘が備えられたことを特徴とする請求項２に記載の遊技機。
【請求項４】
前記回転出力軸の延長線から所定の範囲内で前記振動演出部材が振動するように前記振動演出部材の移動範囲を制限する移動範囲制限手段を備えたことを特徴とする請求項２又は３に記載の遊技機。
【請求項５】
前記回転部材の回転軸方向で前記振動演出部材と対向する対向部材を備え、
前記移動範囲制限手段は、
前記対向部材と前記振動演出部材のうち一方の部材に設けられた円形孔と、
前記対向部材と前記振動演出部材のうち他方の部材に設けられて、前記円形孔に遊嵌される円形突部と、で構成されたことを特徴とする請求項４に記載の遊技機。
【請求項６】
前記駆動源は、前記振動演出部材の下方に配置されて、上下方向と平行な前記回転出力軸を有し、
前記対向部材は、前記駆動源と前記振動演出部材との間に配置されて前記振動演出部材を下方から受け止め可能に構成され、
前記駆動源と前記対向部材との間の間隔を、前記コイルバネが自然長のときに前記振動演出部材が前記対向部材から浮き上がる長さに設定したことを特徴とする請求項５に記載の遊技機。
【請求項７】
前記振動演出部材を視認可能に覆う透明カバーを備えたことを特徴とする請求項１乃至６のうち何れか１の請求項に記載の遊技機。
【発明の詳細な説明】
【技術分野】
【０００１】
本発明は、振動することで遊技に関する演出を行う振動演出部材を備えた遊技機に関する。
【背景技術】
【０００２】
従来、この種の遊技機として、振動モータを用いて振動演出部材を振動させるものが知られている（例えば、特許文献１参照）。
【先行技術文献】
【特許文献】
【０００３】
【特許文献１】特開２００３−１９０４３４号公報（段落［００１２］）
【発明の概要】
【発明が解決しようとする課題】
【０００４】
しかしながら、上述した従来の遊技機では、振動演出部材の動きが単調で趣向性に欠けるという問題があった。
【０００５】
本発明は、上記事情に鑑みてなされたもので、振動演出部材による演出の趣向性を高めることが可能な遊技機の提供を目的とする。
【課題を解決するための手段】
【０００６】
上記目的を達成するためになされた請求項１の発明に係る遊技機は、駆動源からの動力を受けて振動し、その振動により遊技を演出する振動演出部材と、駆動源からの動力を振動演出部材へ伝達する動力伝達部と、を備えた遊技機において、動力伝達部には、振動演出部材の振動方向と交差する方向に延びて振動方向に弾性曲げ変形可能な弾性部材と、振動演出部材に対して相対移動可能であって、その相対移動に伴って弾性部材からの動力を振動演出部材に伝達する移動伝達部材と、が設けられたところに特徴を有する。
【０００７】
なお、振動演出部材は、遊技者との接触により振動が遊技者に認識される構成であってもよいし、視認されることにより振動が遊技者に認識される構成であってもよい。
【０００９】
請求項２の発明は、請求項１に記載の遊技機において、駆動源は、電気的アクチュエータであって、弾性部材は、電気的アクチュエータの回転出力軸と同軸に配置されて回転出力軸と一体に回転するコイルバネで構成され、移動伝達部材は、コイルバネのうち電気的アクチュエータから離れた側の端部に固定されると共に、振動演出部材に嵌合され且つ振動演出部材に対して相対回転可能な回転部材で構成されたところに特徴を有する。
【００１０】
請求項３の発明は、請求項２に記載の遊技機において、回転部材には、回転部材の回転軸から偏心した偏心錘が備えられたところに特徴を有する。
【００１１】
請求項４の発明は、請求項２又は３に記載の遊技機において、回転出力軸の延長線から所定の範囲内で振動演出部材が振動するように振動演出部材の移動範囲を制限する移動範囲制限手段を備えたところに特徴を有する。
【００１２】
請求項５の発明は、請求項４に記載の遊技機において、回転部材の回転軸方向で振動演出部材と対向する対向部材を備え、移動範囲制限手段は、対向部材と振動演出部材のうち一方の部材に設けられた円形孔と、対向部材と振動演出部材のうち他方の部材に設けられて、円形孔に遊嵌される円形突部と、で構成されたところに特徴を有する。
【００１３】
請求項６の発明は、請求項５に記載の遊技機において、駆動源は、振動演出部材の下方に配置されて、上下方向と平行な回転出力軸を有し、対向部材は、駆動源と振動演出部材との間に配置されて振動演出部材を下方から受け止め可能に構成され、駆動源と対向部材との間の間隔を、コイルバネが自然長のときに振動演出部材が対向部材から浮き上がる長さに設定したところに特徴を有する。
【００１４】
請求項７の発明は、請求項１乃至６のうち何れか１の請求項に記載の遊技機において、振動演出部材を視認可能に覆う透明カバーを備えたところに特徴を有する。
【発明の効果】
【００１５】
［請求項１の発明］
請求項１の発明によれば、振動演出部材は、弾性部材の弾性曲げ変形が加味された動きをすることが可能となり、動力伝達部に弾性部材を備えない場合よりも振動演出部材の動きを複雑にして、振動演出部材による演出の趣向性の向上を図ることが可能となる。
【００１６】
また、本発明によれば、弾性部材からの動力を振動演出部材に伝達する移動伝達部材に対して振動演出部材が相対移動可能となっているので、振動演出部材の動きを移動伝達部材の動きと異ならせることが可能となり、振動演出部材の動きに多様性を持たせることが可能となる。
【００１７】
［請求項２の発明］
請求項２の発明によれば、電気的アクチュエータの回転出力軸の延長線を中心として回転部材を回転させ、その回転により振動演出部材を振動させることが可能となる。なお、ここでいう「回転」とは、一回転以上のものには限られず、一回転未満（例えば、２分の１回転や４分の１回転）のものも含むものとする。また、「回転」は、一方向に運動するものに限らず、正逆両方向に運動するものも含むものとする。
【００１８】
［請求項３の発明］
請求項３の発明によれば、回転部材から振動演出部材への動力伝達効率の向上が図られる。
【００１９】
［請求項４の発明］
請求項４の発明によれば、振動演出部材の移動範囲が回転出力軸の延長線から所定の範囲内に制限されるので、振動演出部材の移動範囲が制限されない場合と比較して、振動演出部材の振動周期を短くして振動演出部材を激しく振動させることが可能となる。
【００２０】
［請求項５の発明］
請求項５の発明では、移動範囲制限手段が、対向部材と振動演出部材のうち一方の部材に設けられた円形孔と、他方の部材に設けられて円形孔に遊嵌される円形突部とで構成されているので、振動演出部材の動きをスムーズにすることが可能となる。
【００２１】
［請求項６の発明］
請求項６の発明によれば、コイルバネが自然長のときに振動演出部材が対向部材から浮き上がるので、駆動源が作動していないときの振動演出部材の位置を固定され難くすることが可能となり、振動演出部材の動きに多様性をもたらすことが可能となる。
【００２２】
［請求項７の発明］
請求項７の発明によれば、透明カバーによって遊技者が振動演出部材に触れることが規制されるので、振動演出部材の移動が遊技者との接触により妨げられることが抑制可能となる。
【図面の簡単な説明】
【００２３】
【図１】本発明の一実施形態に係るパチンコ遊技機の正面図
【図２】球貯留部の斜視図
【図３】操作ボタン装置の斜視図
【図４】操作ボタン装置の分解斜視図
【図５】カバー部材とその駆動機構を構成する部材の斜視図
【図６】カバー部材とその駆動機構の断面図
【図７】可動演出部材とその駆動機構を構成する部材の斜視図
【図８】可動演出部材とその駆動機構を構成する部材の斜視図
【図９】ベースプレート及び支持プレートの平面図
【図１０】ベースプレートと円形突部の平断面図
【図１１】可動演出部材とその駆動機構の断面図
【図１２】変形例に係る可動演出部材とその駆動機構の断面図
【図１３】変形例に係る可動演出部材とその駆動機構の断面図
【発明を実施するための形態】
【００２４】
以下、本発明をパチンコ遊技機に適用した第１実施形態を図１〜図１１に基づいて説明する。図１に示すように、本実施形態のパチンコ遊技機１０（以下、「遊技機１０」という。）は、前面が前面枠１０Ｚにて覆われており、その前面枠１０Ｚに形成されたガラス窓１０Ｗを通して遊技板１１の遊技領域Ｒ１が視認可能になっている。
【００２５】
前面枠１０Ｚのうちガラス窓１０Ｗより下方には、遊技球を貯留可能な上皿２６及び下皿２７を上下２段にして備える球貯留部３０が設けられ、下皿２７の右側には操作ハンドル２８が設けられている。そして、操作ハンドル２８を回動操作すると、上皿２６に貯留された遊技球が遊技領域Ｒ１に向けて弾き出される。
【００２６】
遊技領域Ｒ１には、図示しない始動入賞口と大入賞口が備えられ、始動入賞口に遊技球が入球すると所定数の賞球が払い出されると共に、当否判定が行われる。大入賞口は、通常は、可動扉等で閉塞されて入球が困難な状態になっていて、上記当否判定の結果が当りとなったときに開放されて入球が容易な状態となる。また、遊技領域Ｒ１には、当否判定の結果に基づく演出が行われる表示部（図示せず）が設けられている。
【００２７】
図２に示すように、上皿２６は、球貯留部３０の上部の後側部分に配置されていて、球貯留部３０のうち上皿２６の前側部分の上面には、十字ボタン３１、演出用操作ボタン３２、球排出ボタン３３、球貸ボタン３４、球貸用カードの返却ボタン３５を並べて備える操作パネル部３０Ｓが形成されている。
【００２８】
球排出ボタン３３が操作されると、上皿２６に収容されている遊技球が下皿２７へと移動する。球貸ボタン３４が操作されると、予め設定された数の遊技球が貸し出され、上皿２６に貯留される。返却ボタン３５が操作されると、球貸用カードが返却される。なお、球貸用カードは、パチンコホール内で遊技球を借りるためのカードであって、例えば、遊技機１０の左側に設置される球貸用サンドのカード挿入口に挿入されると、球貸用カードに記録されている残高分の遊技球を借りることが可能となる。また、球貸用カードは、返却ボタン３５が操作されると、球貸用サンドの返却口から返却される。
【００２９】
十字ボタン３１及び演出用操作ボタン３２は、遊技の進行に応じて実行される演出に使用される。その使用例としては、例えば、（ａ）実行する演出を複数種類の演出群の中から十字ボタン３１で選択させて演出用操作ボタン３２で決定させることや、（ｂ）（ａ）の例と同様にして、遊技中のＢＧＭを複数種類の楽曲の中から選択、決定させること等が挙げられる。
【００３０】
詳細には、操作パネル部３０Ｓは、以下のようにして形成されている。即ち、ボタン３１〜３５を上部に備える複数の操作ボタン装置が球貯留部３０の上部に組み付けられると共に、各ボタン３１〜３５が球貯留部３０の上面から露出することで、操作パネル部３０Ｓが形成される。
【００３１】
図３には、演出用操作ボタン３２を備える操作ボタン装置４０が示されている。演出用操作ボタン３２は、ドーム部４１Ｄを上部に有するカバー部材４１にて支持プレート４４の上方が覆われた構造になっていて、カバー部材４１が支持プレート４４に対して相対的に上下動可能となっている。そして、カバー部材４１が押圧操作されて下方に移動すると、操作ボタン装置４０の下部の底ケース５０に収容された図示しないセンサにより押圧操作が検出される。
【００３２】
詳細には、図４に示すように、操作ボタン装置４０は、カバー部材４１と支持プレート４４のほかに、可動演出部材４２と、ＬＥＤ基板４８と、底ケース５０とを備えている。可動演出部材４２は、カバー部材４１と支持プレート４４との間に配置されて、カバー部材４１の内側に収容されている。ここで、カバー部材４１のドーム部４１Ｄは、全体が透明になっていて、上方から見ると、可動演出部材４２の全体がカバー部材４１を介して視認可能となっている。即ち、カバー部材４１は本発明の「透明カバー」に相当する。ＬＥＤ基板４８は、支持プレート４４の下方に配置されて、可動演出部材４２との間に支持プレート４４を挟み、可動演出部材４２を発光させるＬＥＤ（図示せず）を制御する。底ケース５０は、上述したカバー部材４１の押圧操作検出用のセンサ、ＬＥＤ基板４８、後述する第１モータ４７及び第２モータ５１等を収容する。なお、以下では、操作ボタン装置４０において、カバー部材４１側を上側、底ケース５０側を下側、と適宜呼ぶことにする。
【００３３】
ここで、本実施形態では、カバー部材４１と可動演出部材４２とは、振動可能に構成されている。具体的には、カバー部材４１と可動演出部材４２とは、別々の駆動源によって駆動され、可動演出部材４２を駆動するための第１モータ４７（図４参照）は、予め設定された第１振動条件が成立したときに駆動され、カバー部材４１を駆動するための第２モータ５１（図６参照）は、予め設定された第２振動条件が成立したときに駆動される。なお、第２振動条件は、カバー部材４１が押圧操作されたときに成立してもよいし、カバー部材４１の押圧操作とは無関係に成立してもよい。
【００３４】
以下、カバー部材４１の振動機構と、可動演出部材４２の振動機構について説明する。図５には、カバー部材４１と、カバー部材４１を振動させる第２振動機構５１Ｋとが示されている。同図に示すように、第２振動機構５１Ｋは、支持プレート４４と、第２モータ保持盤４９と、第２モータ５１と、底ケース５０とを備えている。
【００３５】
図５に示すように、カバー部材４１は、ドーム部４１Ｄの底部を構成する円筒壁４１Ｈから下方に突出して円筒壁４１Ｈの径方向で対向配置された１対の第１脚部４１Ａと１対の第２脚部４１Ｂとを備えている。第１脚部４１Ａと第２脚部４１Ｂとは、カバー部材４１の周方向で互いに９０度ずれるように配置されている。また、第１脚部４１Ａは、第２脚部４１Ｂよりも下方に突出し、第１脚部４１Ａの下端部には、円筒壁４１Ｈの径方向に延びた係合孔４１Ｋが形成されている。
【００３６】
支持プレート４４は、カバー部材４１の円筒壁４１Ｈより大径の円形状をなし、支持プレート４４の外周部には、カバー部材４１の第１脚部４１Ａと第２脚部４１Ｂとに対応した第１脚部挿通孔４４Ａと第２脚部挿通孔４４Ｂが形成されている。また、支持プレート４４の中央部には、略円形の中央孔４４Ｃが形成されている。
【００３７】
第２モータ保持盤４９は、長手方向の長さがカバー部材４１の円筒壁４１Ｈの直径と略同じ長さの長方形状をなしている。第２モータ保持盤４９の長手方向の両端部からは、カバー部材４１側に端部突壁４９Ｈが突出し、その端部突壁４９Ｈに、円筒壁４１Ｈの径方向に突出する係合突部４９Ｔが設けられている。また、第２モータ保持盤４９の中央部には、略円形の中央孔４９Ｃが形成されている。なお、上述したように、第１脚部４１Ａは第２脚部４１Ｂより下方に突出しているので、第１脚部挿通孔４４Ａに挿通された第１脚部４１Ａは、支持プレート４４を貫通し、この第１脚部４１Ａの係合孔４１Ｋに端部突壁４９Ｈの係合突部４９Ｔが係合する。
【００３８】
図６に示すように、第２モータ５１は、第２モータ保持盤４９上に取り付けられ、第２モータ５１の回転出力軸５１Ｊには、重心が回転出力軸５１Ｊからずれた偏心錘５２が取り付けられている。具体的には、第２モータ保持盤４９の長手方向の一方側には、モータ収容部５３が設けられていて、第２モータ５１はモータ収容部５３に収容されることで、上下方向と水平方向の移動が規制されている。なお、図５では、モータ収容部５３が省略して示されている。
【００３９】
底ケース５０は、支持プレート４４と略同じ大きさの円形状をなして、支持プレート４４の底部に固定され、カバー部材４１の第１脚部４１Ａと、第２モータ保持盤４９と、第２モータ５１とを収容する。また、底ケース５０の底部と第２モータ保持盤４９との間には、付勢バネ５０Ｓが設けられ、この付勢バネ５０Ｓによって第２モータ保持盤４９及びカバー部材４１が、底ケース５０及び支持プレート４４に対して上側に付勢される。なお、付勢バネ５０Ｓは、底ケース５０の底部と第２モータ保持盤４９の互いの対向面に形成された位置決め凹部によって位置決めされている。また、上述したカバー部材４１の押圧操作検出用のセンサは、付勢バネ５０Ｓに抗して第２モータ保持盤４９が下方位置へ配置されたことを検出するようになっている。
【００４０】
次に、第２振動機構５１Ｋの動作について説明する。第２振動条件が成立して第２モータ５１が作動すると、図６に示すように、回転出力軸５１Ｊを中心として偏心錘５２が回転する。すると、その偏心錘５２の遠心力によって第２モータ５１が振動し、第２モータ保持盤４９のモータ収容部５３と衝突する。そして、第２モータ５１の振動が、モータ収容部５３を介して第２モータ保持盤４９に伝達され、第１脚部４１Ａを介して第２モータ保持盤４９と係合するカバー部材４１にも伝達する。これにより、カバー部材４１が振動する。
【００４１】
ここで、上述したように、カバー部材４１は、第１脚部４２Ａ及び第２脚部４１が支持プレート４４の第１脚部挿通孔４４Ａ及び第２脚部挿通孔４４Ｂに挿通されることにより、水平方向の移動が制限される一方、付勢バネ５０Ｓの伸縮により上下方向の移動は許容される。従って、カバー部材４１の振動は、水平方向の振動よりも上下方向の振動が大きい、所謂、縦揺れ型の振動となっている。
【００４２】
次に、可動演出部材４２の振動機構について説明する。図７には、可動演出部材４２と、可動演出部材４２を振動させる第１振動機構４７Ｋとが示されている。同図に示すように、第１振動機構４７Ｋは、回転部材４３と、支持プレート４４と、固定治具４６と、コイルバネ４５と、第１モータ４７とを備えている。
【００４３】
図７に示すように、可動演出部材４２は、円盤状のベースプレート４２Ｂを装飾カバー４２Ａで覆った構成になっている。ベースプレート４２Ｂは、支持プレート４４に上方から重ねられ、ベースプレート４２Ｂの中央部に突出形成された略円形の中央突部４２Ｃが、支持プレート４４の中央孔４４Ｃに遊嵌される。
【００４４】
また、ベースプレート４２Ｂのうち中央突部４２Ｃの外側には、複数（例えば、３つ）の円形孔４２Ｔが形成されている。複数の円形孔４２Ｔは、ベースプレート４２Ｂの周方向に等間隔に配置され、それら複数の円形孔４２Ｔの中心は、ベースプレート４２Ｂと同心円上に配置されている。そして、各円形孔４２Ｔには、支持プレート４４の中央孔４４Ｃの開口縁から突出した複数の円形突部４４Ｔが挿通されている（図８と図１０を参照）。
【００４５】
ここで、円形孔４２Ｔは、円形突部４４Ｔよりも大径になっていて、円形孔４２Ｔに挿通される円形突部４４Ｔは、円形孔４２Ｔ内を移動可能となっている。別の見方をすれば、ベースプレート４２Ｂは、円形孔４２Ｔの内周面と円形突部４４Ｔとの当接によって移動が制限される。図１０には、水平面内の一方向に移動して円形突部４４Ｔにより移動が制限されたときのベースプレート４２Ｂが点線で示され、ベースプレート４２Ｂの移動が許容される範囲Ｒ２が２点鎖線で示されている。なお、本実施形態では、円形孔４２Ｔと円形突部４４Ｔとで本発明の「移動範囲制限手段」が構成され、支持プレート４４が本発明の「対向部材」に相当する。
【００４６】
また、本実施形態では、複数の円形孔４２Ｔ及び円形突部４４Ｔは同じ大きさになっているので、一の円形突部４４Ｔが円形孔４２Ｔの内周面に当接すると、残りの円形突部４４Ｔも円形孔４２Ｔの内周面に当接する。これにより、ベースプレート４２Ｂと円形突部４４Ｔとの当接箇所を、ベースプレート４２Ｂの周方向に分散させることが可能となる。また、本実施形態では、円形突部４４Ｔが円形孔４２Ｔの内周面に摺接することで、ベースプレート４２Ｂをスムーズに移動させることが可能となる。
【００４７】
回転部材４３は、ベースプレート４２Ｂの中央部、即ち、中央突部４２Ｃに取り付けられ、ベースプレート４２Ｂに対して相対回転可能となっている。具体的には、回転部材４３は、図１１に示すように、ベースプレート４２Ｂと直交する方向に延びてベースプレート４２Ｂを貫通する回転シャフト４３Ａと、偏心錘４３Ｂとを備えている。そして、回転シャフト４３Ａが中央突部４２Ｃの中心部にベアリング（図示せず）を介して取り付けられることで、回転部材４３はベースプレート４２Ｂに対して相対回転可能となっている。また、回転部材４３の下端部には、取付軸部４３Ｊが形成されている。
【００４８】
偏心錘４３Ｂは、回転シャフト４３Ａの上端部に固定されて、回転シャフト４３Ａと一体に回転する。偏心錘４３Ｂは、平面視扇形状になっていて、ベースプレート４２Ｂの上面には、偏心錘４３Ｂの回転を許容する円形凹部４２Ｄが形成されている。
【００４９】
図７に示すように、固定治具４６は、固定板４６Ａと、取付板４６Ａから支持プレート４４側に突出する複数の取付片４２Ｂとで構成され、取付板４６Ａの中央部に円形の中央孔４６Ｃが形成されている。そして、取付片４２Ｂが支持プレート４４の下面に固定されることで、固定板４６Ａが支持プレート４４と平行に配置されると共に、固定板４６Ａと支持プレート４４との間の距離が一定に保たれる。
【００５０】
第１モータ４７は、回転出力軸４７Ｊ側の面が固定治具４６の固定板４６Ａの下面に重ねて固定され、第１モータ４７の回転出力軸４７Ｊが固定板４６Ａの中央孔４６Ｃを貫通する。従って、固定治具４６によって、第１モータ４７と支持プレート４４との間の距離が一定に保たれることとなる。
【００５１】
コイルバネ４５は、第１モータ４７の回転出力軸４７Ｊと同軸に配置され、一端部が回転出力軸４７Ｊに固定されている。また、コイルバネ４５の他端部は、回転部材４３の取付軸部４３Ｊに固定されている。
【００５２】
ここで、本実施形態では、図１１に示すように、コイルバネ４５の自然長さは、コイルバネ４５の他端部に回転部材４３を介して固定されたベースプレート４２Ｂ（可動演出部材４２）が支持プレート４４から浮き上がる長さになっている。別の見方をすれば、上述の固定治具４６は、支持プレート４４と第１モータ４７との間隔を、コイルバネ４５が自然長のときにベースプレート４２Ｂ（可動演出部材４２）が支持プレート４４から浮き上がる長さとなるように保っている。
【００５３】
次に、第１振動機構４７Ｋの動作について説明する。第１振動条件が成立して第１モータ４７が作動すると、回転出力軸４７Ｊを中心としてコイルバネ４５の他端部と回転部材４３が旋回する。すると、ベースプレート４２Ｂが回転部材４３に押されて、可動演出部材４２も旋回しようとする。
【００５４】
ここで、回転部材４３には、回転出力軸４７Ｊから偏心した偏心錘４３Ｂが備えられているので、回転部材４３の旋回半径が大きくなり、ベースプレート４２Ｂが支持プレート４４の円形突部４４Ｔと衝突する。従って、ベースプレート４２Ｂは、図１０に示した範囲Ｒ２内を、円形突部４４Ｔとの衝突を繰り返しながら、水平方向に振動する。
【００５５】
また、本実施形態では、コイルバネ４５が第１モータ４７の回転出力軸４７Ｊと同軸に配置され、可動演出部材４２が振動する水平方向に弾性曲げ変形可能となっているので、ベースプレート４２Ｂは、旋回する回転部材４３の遠心力と、衝突した円形突部４４Ｔから受ける抗力と、コイルバネ４５の復元力の影響を受けて移動することになり、ベースプレート４２Ｂを水平面内でランダムに振動させることが可能になる。
【００５６】
このように、可動演出部材４２は、図１０に示した範囲Ｒ２内を、水平方向にランダム振動する。また、コイルバネ４５の伸縮により、可動演出部材４２は、上下方向の振動も許容される。従って、可動演出部材４２は、上下方向と水平方向の両方の振動が許容される。ここで、本実施形態では、第１モータ４７の回転方向とコイルバネ４５の巻方向は同じになっている。この構成により、コイルバネ４５が回転しているときにコイルバネ４５が回転出力軸４７Ｊから外れたり、コイルバネ４５の巻具合が崩れる等の問題を低減することが可能となる。このように、回転出力軸４７Ｓを一方向にのみ回転させる場合には、その回転方向とコイルバネ４５の巻方向を同じにするとよい。なお、回転出力軸４７Ｊを正逆両方向に回転させたり往復運動させたりする場合には、上記問題点を考慮して設計することが好ましい。
【００５７】
以上、説明したように、可動演出部材４２の振動パターンは、上述した縦揺れ型のカバー部材４１の振動とは異なる振動パターンとなる。このように、本実施形態の遊技機１０では、カバー部材４１と可動演出部材４２の振動パターンが異なっているので、２つの部材の振動の区別を容易にすることが可能となる。
【００５８】
また、カバー部材４１は、上下方向、即ち、カバー部材４１が遊技者と対向する方向に振動するので、カバー部材４１の振動は、遊技者に視認困難となっている。これに対し、可動演出部材４２は、水平方向で振動するので、可動演出部材４２の振動は、カバー部材４１の振動よりも遊技者に視認され易くなっている。これにより、可動演出部材４２の振動状態を、可動演出部材４２を覆うカバー部材４１の振動状態よりも視覚的に際立たせることが可能となる。しかも、可動演出部材４２の振動は、カバー部材４１のドーム部４１Ｄを介して視認されるので、カバー部材４１によって遊技者が可動演出部材４２に触れることが規制され、可動演出部材４２の移動が遊技者との接触により妨げられることが抑制可能となる。
【００５９】
なお、本実施形態では、可動演出部材４２が「振動演出部材」に相当し、第１モータ４７が本発明の「駆動源」及び「電気的アクチュエータ」に相当する。また、第１振動機構４７Ｋが本発明の「動力伝達部」に相当し、コイルバネ４５が本発明の「弾性部材」に、回転部材４３が本発明の「移動伝達部材」に相当する。以上が、可動演出部材４２の振動機構に関する説明である。
【００６０】
本実施形態の遊技機１０の構成に関する説明は以上である。次に、遊技機１０の作用効果について説明する。
【００６１】
本実施形態の遊技機１０では、遊技の進行状況に応じて、第１振動条件が成立すると、第１モータ４７が駆動され、図１１に示した第１振動機構４７Ｋが可動演出部材４２を水平方向に振動させる。
【００６２】
ここで、本実施形態では、第１振動機構４７Ｋに、可動演出部材４２が振動する水平方向に弾性曲げ変形可能なコイルバネ４５を備えているので、可動演出部材４２は、コイルバネ４５の弾性曲げ変形が加味された動きをすることが可能となり、例えば、コイルバネ４５の代わりに紐等を用いて第１振動機構４７Ｋにコイルバネ４５を備えない場合よりも可動演出部材４２の動きを複雑にして、可動演出部材４２による演出の趣向性の向上を図ることが可能となる。
【００６３】
しかも、本実施形態では、コイルバネ４５が自然長のときに可動演出部材４２が支持ベース４４から浮き上がるので、第１モータ４７が作動していないときの可動演出部材４２の位置を固定され難くすることが可能となり、可動演出部材４２の動きに多様性をもたらすことが可能となる。
【００６４】
また、本実施形態では、円形突部４４Ｔと円形孔４２Ｔとによって、可動演出部材４２の移動範囲が駆動源４７の回転出力軸４７Ｊの延長線から所定の範囲Ｒ２（図１０参照）内に制限されるので、可動演出部材４２の移動範囲が制限されない場合と比較して、可動演出部材４２の振動周期を短くして可動演出部材４２を激しく振動させることが可能となる。以上、本実施形態では、可動演出部材４２の回転運動にコイルバネ４５の弾性変形が加わることで、可動演出部材４２に、単純な円運動に留まらない複雑な動きをさせることが可能となり、振動に多様性を持たせることが可能となる。なお、本構成は、可動演出部材４２が、常時、円運動を行うものでなければ、回転の途中で一時的に円運動を行う状態があることを排除するものではない。
【００６５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００６６】
（１）上記実施形態では、本発明をパチンコ遊技機に適用した例を示したが、スロットマシンやアレンジボール等の遊技機に適用してもよい。
【００６７】
（２）上記実施形態では、カバー部材４１のドーム部４１Ｄが可動演出部材４２の全体を視認可能とする構成であったが、一部を視認可能としてもよい。
【００６８】
（３）上記実施形態では、カバー部材４１が振動する構成であったが、振動しない構成であってもよい。
【００６９】
（４）上記実施形態では、本発明を操作ボタン装置４０に備えた可動演出部材４２に適用した例を示したが、遊技領域Ｒ１内に配置される演出用の役物に適用してもよい。
【００７０】
（５）上記実施形態では、可動演出部材４２は、平面視円形状であったが、非円形状にしてもよい。その際、可動演出部材４２は、振動方向に対称であっても非対称であってもよい。これにより、可動演出部材４２が振動したときの可動演出部材４２の見え方に多様性を持たせることが可能になる。
【００７１】
（６）上記実施形態では、偏心錘４３Ｂの形状が、扇形状であったが、重心が第１モータ４７の回転出力軸４７Ｊの延長線からずれた位置に配置されるものであれば、特に限定されるものではなく、例えば、円形状であっても楕円形状であっても多角形状であってもよい。
【００７２】
（７）上記実施形態では、本発明の「弾性部材」としてコイルバネ４５を例示したが、可動演出部材４２の振動方向（水平方向）に弾性曲げ変形するものであれば、例えば、第１モータの回転出力軸４７Ｊの延長線上に配置される弾性片や棒状のゴムであってもよい。
【００７３】
（８）図１２に示すように、本発明の「駆動源」及び「電気的アクチュエータ」としてのソレノイド６０と、ソレノイド６０のプランジャ６０Ａに固定される直動部材６１と、直動部材６１の移動方向と交差する方向に延びて直動部材６１と可動演出部材４２Ｖとを連結するコイルバネ６２とを備えて、可動演出部材４２Ｖを直動部材６１の移動方向と平行な方向に振動させる構成としてもよい。なお、本構成では、直動部材６１及びコイルバネ６２が本発明の「動力伝達部」に相当し、コイルバネ６２が本発明の「弾性部材」に相当する。
【００７４】
（９）上記（８）の構成において、図１３に示すように、コイルバネ６２の直動部材６１と反対側の端部に当接部材６３を固定すると共に、可動演出部材４２Ｖに当接部材６３と遊嵌する遊嵌孔６４を設け、直動部材６１の移動方向と平行な方向に当接部材６３が振動したときに、遊嵌孔６４の内周面が当接部材６３と当接することで可動演出部材４２が振動する構成としてもよい。本構成では、直動部材６１、コイルバネ６２及び当接部材６３で本発明の「動力伝達部」が構成され、当接部材６３が本発明の「移動伝達部材」に相当する。本構成によれば、可動演出部材４２Ｖの動きを、コイルバネ６２に固定された当接部材６３の動きと異ならせることが可能となり、可動演出部材４２Ｖの動きに多様性を持たせることが可能となる。
【００７５】
（１０）上記（８）、（９）の構成において、ソレノイド６０の代わりにモータを用い、直動部材６１を直動させる機構として、モータの回転を直動に変換するクランク機構を用いてもよい。
【００７６】
（１１）上記実施形態及び上記（８）、（９）の構成において、モータやソレノイド以外の電気的アクチュエータを用いてもよい。
【００７８】
（１２）上記実施形態において、回転部材４３を、円軌道や楕円軌道の途中まで回転（例えば、２分の１回転や４分の１回転）させてもよい。また、その円や楕円の軌道上を一方向と他方向に往復させてもよい。その際、一方向に進む角度と他方向に進む角度は、同じであってもよいし異なっていてもよい。また、その角度は、３６０度以上であってもよいし、３６０度未満であってもよい。
【００７９】
（１３）上記実施形態では、円形孔４２Ｔと円形突部４４Ｔが真円形状であったが、楕円形状やその他の形状にしてもよい。本構成によれば、振動の多様性が図られる。
【００８０】
（１４）上記実施形態では、可動演出部材４２がコイルバネ４５を軸として回転及び揺動し、第１モータ４７が作動していないときに可動演出部材４２が所定の位置に固定されない構成になっているが、例えば、コイルバネ４５の中にコイルバネ４５よりも弾性変形し難い芯材を設けて、第１モータ４７が作動していないときには、所定の位置に固定される構成としてもよい。本構成によれば、通常時に、可動演出部材４２を所定の位置に安定して固定させることが可能となる。なお、芯材等のように第１モータ４７の非作動時に可動演出部材４２を所定の位置に固定する部材を用いる際には、コイルバネ４５の弾性変形を規制させないような部材が好ましい。
【００８１】
（１５）上記実施形態では、１つのコイルバネ４５と１つのモータ（第１モータ４７）とで可動演出部材４２を動かす構成であったが、コイルバネ又はモータを複数備えて、それらコイルバネとモータとによって、可動演出部材４２を動かす構成としてもよい。
【符号の説明】
【００８２】
１０    遊技機
３２    演出用操作ボタン
４０    操作ボタン装置
４１    カバー部材（透明カバー）
４２    可動演出部材（振動演出部材）
４３    回転部材（移動伝達部材）
４５    コイルバネ（弾性部材）
４７    第１モータ（駆動源、電気的アクチュエータ）
４７Ｋ    第１振動機構（動力伝達部）
【図１】
0005861158.tif 000002
【図２】
0005861158.tif 000003
【図３】
0005861158.tif 000004
【図４】
0005861158.tif 000005
【図５】
0005861158.tif 000006
【図６】
0005861158.tif 000007
【図７】
0005861158.tif 000008
【図８】
0005861158.tif 000009
【図１０】
0005861158.tif 000010
【図１１】
0005861158.tif 000011
【図１２】
0005861158.tif 000012
【図１３】
0005861158.tif 000013
【図９】
0005861158.tif 000014